(57)【要約】【課題】レンズまたはレンズ群あるいは鏡筒を光軸上に複数個配置してレンズユニットを構成する際に、光軸回り方向（γ方向）の特性を検査工程時と同じ結果に容易に調整することができる構成のレンズユニットを提供する。【解決手段】レンズまたはレンズ群４０あるいは鏡筒３９を光軸上に複数個配置したレンズユニット３８において、前記複数個のレンズまたはレンズ群４０あるいは鏡筒３９の全てに、各レンズまたはレンズ群４０あるいは鏡筒３９の光軸を中心とした回転方向（γ方向）の位置を定めるための印（マーク）ＭＫ１，ＭＫ２を設ける。そして、特性評価時には前記印（マーク）ＭＫ１，ＭＫ２の光軸回り方向の位置を一定の位置に合わせる。これにより、光軸回り方向の位置を容易に揃えることができ、画像読取ユニット１６などへの組付け工程での調整や特性評価を短時間で容易に行うことができる。【選択図】図１
2007079343.tif 000002
【特許請求の範囲】
【請求項１】
レンズを光軸上に複数個配置したレンズユニットにおいて、
前記複数個のレンズ全てに、各レンズの光軸を中心とした回転方向の位置を定めるための印を設けることを特徴とするレンズユニット。
【請求項２】
請求項１記載のレンズユニットにおいて、
前記複数個のレンズに設けられた印は、各レンズの外周部にあることを特徴とするレンズユニット。
【請求項３】
請求項１または２記載のレンズユニットにおいて、
前記複数個のレンズに設けられた印は、各レンズがユニットに固定された状態で目視確認できる位置にあることを特徴とするレンズユニット。
【請求項４】
請求項１乃至３のいずれか一つに記載のレンズユニットを組立てる組立方法であって、
前記複数個のレンズの各印を所定の位置関係に合わせる工程と、前記複数個のレンズの相対位置を固定する工程と、を含むことを特徴とするレンズユニットの組立方法。
【請求項５】
複数のレンズを含むレンズ群を光軸上に複数群配置したレンズユニットにおいて、
前記複数のレンズ群の全てに、各レンズ群の光軸を中心とした回転方向の位置を定めるための印を設けることを特徴とするレンズユニット。
【請求項６】
請求項５記載のレンズユニットにおいて、
前記複数のレンズ群に設けられた印は、各レンズ群の外周部にあることを特徴とするレンズユニット。
【請求項７】
請求項５または６記載のレンズユニットにおいて、
前記複数のレンズ群に設けられた印は、各レンズ群がユニットに固定された状態で目視確認できる位置にあることを特徴とするレンズユニット。
【請求項８】
請求項５乃至７のいずれか一つに記載のレンズユニットを組立てる組立方法であって、
前記複数のレンズ群の各印を所定の位置関係に合わせる工程と、前記複数のレンズ群の相対位置を固定する工程と、を含むことを特徴とするレンズユニットの組立方法。
【請求項９】
少なくとも１以上のレンズを収容する鏡筒を光軸上に複数個配置したレンズユニットにおいて、
前記複数個の鏡筒の全てに、各鏡筒の光軸を中心とした回転方向の位置を定めるための印を設けることを特徴とするレンズユニット。
【請求項１０】
請求項９記載のレンズユニットにおいて、
前記複数個の鏡筒に設けられた印は、各鏡筒の外周部にあることを特徴とするレンズユニット。
【請求項１１】
請求項９または１０記載のレンズユニットにおいて、
前記複数個の鏡筒に設けられた印は、各鏡筒がユニットに固定された状態で目視確認できる位置にあることを特徴とするレンズユニット。
【請求項１２】
請求項９乃至１１のいずれか一つに記載のレンズユニットを組立てる組立方法であって、
前記複数個の鏡筒の各印を所定の位置関係に合わせる工程と、前記複数個の鏡筒の相対位置を固定する工程と、を含むことを特徴とするレンズユニットの組立方法。
【請求項１３】
レンズを光軸上に複数個配置したレンズユニットを有する光学ユニットにおいて、
前記複数個のレンズ全てに、各レンズの光軸を中心とした回転方向の位置を定めるための印を設けることを特徴とする光学ユニット。
【請求項１４】
請求項１３記載の光学ユニットにおいて、
前記複数個のレンズに設けられた印は、各レンズの外周部にあることを特徴とする光学ユニット。
【請求項１５】
請求項１３または１４記載の光学ユニットにおいて、
前記複数個のレンズに設けられた印は、各レンズがユニットに固定された状態で目視確認できる位置にあることを特徴とする光学ユニット。
【請求項１６】
請求項１３乃至１５のいずれか一つに記載の光学ユニットを組立てる組立方法であって、
前記複数個のレンズの各印を所定の位置関係に合わせる工程と、前記複数個のレンズの相対位置を固定する工程と、を含むことを特徴とする光学ユニットの組立方法。
【請求項１７】
複数のレンズを含むレンズ群を光軸上に複数群配置したレンズユニットを有する光学ユニットにおいて、
前記複数のレンズ群の全てに、各レンズ群の光軸を中心とした回転方向の位置を定めるための印を設けることを特徴とする光学ユニット。
【請求項１８】
請求項１７記載の光学ユニットにおいて、
前記複数のレンズ群に設けられた印は、各レンズ群の外周部にあることを特徴とする光学ユニット。
【請求項１９】
請求項１７または１８記載の光学ユニットにおいて、
前記複数のレンズ群に設けられた印は、各レンズ群がユニットに固定された状態で目視確認できる位置にあることを特徴とする光学ユニット。
【請求項２０】
請求項１７乃至１９のいずれか一つに記載の光学ユニットを組立てる組立方法であって、
前記複数のレンズ群の各印を所定の位置関係に合わせる工程と、前記複数のレンズ群の相対位置を固定する工程と、を含むことを特徴とする光学ユニットの組立方法。
【請求項２１】
少なくとも１以上のレンズを収容する鏡筒を光軸上に複数個配置したレンズユニットを有する光学ユニットにおいて、
前記複数個の鏡筒の全てに、各鏡筒の光軸を中心とした回転方向の位置を定めるための印を設けることを特徴とする光学ユニット。
【請求項２２】
請求項２１記載の光学ユニットにおいて、
前記複数個の鏡筒に設けられた印は、各鏡筒の外周部にあることを特徴とする光学ユニット。
【請求項２３】
請求項２１または２２記載の光学ユニットにおいて、
前記複数個の鏡筒に設けられた印は、各鏡筒がユニットに固定された状態で目視確認できる位置にあることを特徴とする光学ユニット。
【請求項２４】
請求項２１乃至２３のいずれか一つに記載の光学ユニットを組立てる組立方法であって、
前記複数個の鏡筒の各印を所定の位置関係に合わせる工程と、前記複数個の鏡筒の相対位置を固定する工程と、を含むことを特徴とする光学ユニットの組立方法。
【請求項２５】
原稿からの反射像を結像させる光学系と、該光学系の結像位置に配置された光電変換素子と、前記光学系と前記光電変換素子の双方が保持部材を介して取り付けられたベース部材とを備えた画像読取ユニットにおいて、
前記光学系として、請求項１乃至３、請求項５乃至７、請求項９乃至１１のうちのいずれか一つに記載のレンズユニット、あるいは、請求項１３乃至１５、請求項１７乃至１９、請求項２１乃至２３のうちのいずれか一つに記載の光学ユニット、を備えたことを特徴とする画像読取ユニット。
【請求項２６】
原稿からの反射像を光電変換素子によって読み取る画像読取装置において、
請求項２５記載の画像読取ユニットを備えたことを特徴とする画像読取装置。
【請求項２７】
原稿画像を画像読取部で読み取り、読み取った画像情報に基いて画像形成部で画像形成を行う画像形成装置において、
前記画像読取部に請求項２６記載の画像読取装置を備えたことを特徴とする画像形成装置。
【発明の詳細な説明】
【技術分野】
【０００１】
本発明は、レンズまたはレンズ群あるいは鏡筒を光軸上に複数個配置したレンズユニット及びその組立方法、レンズユニットを有する光学ユニット及びその組立方法、前記レンズユニットまたは光学ユニットを備えた画像読取ユニット、その画像読取ユニットを備えた画像読取装置（スキャナ装置）、その画像読取装置を備えた複写機、ファクシミリ、印刷機等の画像形成装置に関する。
【背景技術】
【０００２】
従来から、複写機、ファクシミリ、スキャナ装置等に使用される画像読取ユニットには、二つ以上のレンズ群からなる結像レンズ系を有する光学ユニットを備えたものが知られている。この従来の画像読取ユニットでは、副走査方向に原稿の照明光源を移動させ、原稿からの反射光を光学ユニットの結像レンズ系を通してＣＣＤ（Charge Coupled Device）等のライン型光電変換素子に縮小結像させ、このライン型光電変換素子に結像された結像光束を光電変換して画像読取信号として出力するようになっている。
この画像読取ユニットでは、ライン型光電変換素子の受光面上から結像光束が光軸方向にずれると、読み取り画像の劣化が生じることから、光学ユニットの各レンズ群の間隔や、ライン型光電変換素子と光学ユニットとの位置関係を調整し、読み取り画像が設計規格を満足するようにレンズ群の間隔の調整や、ライン型光電変換素子の取付位置の調整を行って位置決め固定している。
【０００３】
また、この種の画像読取ユニットでは、レンズ群を構成するレンズの表面のうち中心の矩形状の部分が、ライン型光電変換素子の結像に寄与する。この矩形状の部分の収差等の結像性能は、レンズの光軸を中心した回転方向（光軸回り方向と言う）にばらつきがある。このため、矩形状の部分がライン型光電変換素子に平行になるようにレンズを位置決めし、結像光束の結像位置がライン型光電変換素子の受光面上に結像するようにレンズとライン型光電変換素子との間隔を調整しても、レンズを回転させると、結像光束の結像位置がライン型光電変換素子の受光面上から光軸方向にずれることがあり、画像品質の劣化を招くことがあった。特にカラー画像を読み取るための画像読取ユニットに用いられるレンズでは、青色波長、緑色波長、赤色波長とで結像位置がレンズの回転方向にずれていると、カラー画像を良好に再現することができないことになる。従って、レンズを光軸を中心とした回転方向（光軸回り方向）に調整することも必要である。
【０００４】
従来、このようなレンズ間隔の調整及びレンズの光軸を中心とした回転方向の位置を調整して画像の品質の向上を図るために、１個のレンズ鏡筒を２分割して、各レンズ群を両分割鏡筒に保持させ、その両分割鏡筒の一方の外周にねじ山を形成し、他方の内周にねじ溝を形成して、これらのねじ山とねじ溝とを螺合させて、光軸を中心として両分割鏡筒を相対的に回転させることによりレンズ群の間隔調整を行う構成のレンズ鏡筒が知られている（例えば、特許文献１参照）。また、このようなレンズ鏡筒は、電子スチルカメラ等に多く利用されている（例えば特許文献２参照）。
しかしながら、上記のような構成のレンズ鏡筒では、各分割鏡筒に保持されているレンズ群の間隔調整を行うと、分割鏡筒の回転に伴って各レンズ群が回転するので、収差等などによりレンズ群の光軸を中心とした回転方向の位置が狂うことがあり、しかも、レンズ群の回転と間隔調整とを独立して行うことができないという問題がある。
【０００５】
【特許文献１】特開平１１−３３７７９９号公報
【特許文献２】特開平８−１０１３３３号公報
【発明の開示】
【発明が解決しようとする課題】
【０００６】
前記従来技術の問題を解消するため、本発明者らは、レンズ鏡筒の構造を複雑化させることなく簡単な構成でレンズ鏡筒の回転とレンズ鏡筒間の間隔調整とを独立して行うことにより、必要なレンズ特性を容易に得ることができる画像読取ユニットを創案した（特願２００４−３２１７１３）。
この画像読取ユニットは、原稿からの反射像を光電変換素子に結像させるレンズ群を収容するレンズ鏡筒を少なくとも二つ有した結像レンズ系（光学ユニット）と、前記光電変換素子と前記結像レンズ系（光学ユニット）との双方が取り付けられたベース部材と、前記レンズ鏡筒と前記ベース部材との双方に取り付けられた中間保持部材と、を備えた画像読み取りユニットであって、前記少なくとも一つのレンズ鏡筒が、前記ベース部材から間隔をあけた状態で、前記中間保持部材に支持されている構成としている。
【０００７】
この画像読取ユニットでは、中間保持部材がレンズ鏡筒をベース部材から間隔をあけて支持するので、それぞれのレンズ鏡筒をベース部材に対し、レンズ鏡筒がベース部材に接離する方向（ベース部材の表面に直交する方向）と、ベース部材の表面と平行な互いに直交する２方向と、これらの方向を中心とした回転方向に沿って、移動することができる（位置を調整できる）。
このように、互いに別体のレンズ鏡筒を複数設けるという簡便な構成で、レンズ鏡筒の回転方向の調整とレンズ鏡筒間の間隔調整とを互いに独立して行うことができる。したがって、必要なレンズ特性を容易で確実に得ることができる。更に、必要なレンズ特性を容易で確実に得ることができるので、画像読取ユニットの組み立て工数を低減することができる。
【０００８】
ところで、上記のような画像読取ユニットに用いられる光学ユニットでは、レンズ群を鏡筒に組付ける工程の後に、レンズの特性検査を行っている。そして検査結果に問題が無ければ、次に複数の鏡筒を組合わせてチャック等の治具に取付け、各鏡筒の位置調整の後に、光学ユニットとしての特性検査が行われる。そして、検査結果に問題が無ければ、画像読取ユニットの製造工程に引き継がれる。
【０００９】
ここで、通常はレンズ鏡筒の組付けから特性検査に至る工程と、画像読取ユニットの製造工程とは、別工程（離れた生産拠点等）で行われている。このため、画像読取ユニットの製造工程で、光学ユニットを構成する複数の鏡筒を画像読取ユニットのベース部材に取付ける際には、組立装置のチャックに鏡筒をセットして位置調整し、位置決めする工程を行い、再度の検査を行ってからベース部材に固定していた。そのため、上記の特性検査での結果が画像読取ユニットの製造工程では生かされず二度手間となっていた。また、特性検査の時点で最良の特性が得られる調整位置が見出されていても、画像読取ユニットのベース部材に取付ける際には、鏡筒ごとに位置調整しなおすので、同じ特性を得ることが難しいという問題もあった。
【００１０】
例えば、レンズの光軸を中心とした回転方向（光軸回り方向）をγ方向とした場合に、γ方向以外の軸の調整では、レンズの結像特性の動きが各軸と連動しているので、画像読取ユニットに組付けた状態でも、各軸の調整によりレンズ全体の特性を調整することができるが、γ方向に関しては鏡筒の回転によってどのように特性が変わるかが鏡筒内のレンズの組付き状態によって変わるため、特性を複数回計測したい場合には上記のように検査工程で行う必要があり、製造工程に反映しにくいという問題がある。このため、検査工程で得た特性を製造工程で反映するためには、画像読取ユニットに組付けた状態でも、γ方向の特性が検査工程時と同じになるようにする工夫が必要となる。もちろん時間を気にしない工程であれば、γ方向を探しながら各軸を調整し、最終的に前に計測した測定結果と同じ物を得る方法もあるが、非常に時間がかかり、生産性を悪化させる要因となる。
【００１１】
本発明は上記事情に鑑みなされたものであり、レンズまたはレンズ群あるいはレンズを収容する鏡筒を光軸上に複数個配置して組付ける際に、光軸回り方向（γ方向）の特性を検査工程時と同じ結果に容易に調整することができる構成のレンズユニットまたは光学ユニットを提供することを目的とする。また、本発明は、そのレンズユニットまたは光学ユニットを用い、位置決め固定時の調整や特性評価を容易にし、必要な光学特性を容易に得ることができる画像読取ユニット及びこれを用いた画像読取装置（スキャナ装置）及び画像形成装置を提供することを目的とする。
【課題を解決するための手段】
【００１２】
前記目的を達成するために、本発明の第１の手段は、レンズを光軸上に複数個配置したレンズユニットにおいて、前記複数個のレンズ全てに、各レンズの光軸を中心とした回転方向の位置を定めるための印を設けることを特徴とする（請求項１）。
また、本発明の第２の手段は、第１の手段のレンズユニットにおいて、前記複数個のレンズに設けられた印は、各レンズの外周部にあることを特徴とする（請求項２）。
さらに本発明の第３の手段は、第１または第２の手段のレンズユニットにおいて、前記複数個のレンズに設けられた印は、各レンズがユニットに固定された状態で目視確認できる位置にあることを特徴とする（請求項３）。
さらにまた、本発明の第４の手段は、第１乃至第３のいずれか一つの手段のレンズユニットを組立てる組立方法であって、前記複数個のレンズの各印を所定の位置関係に合わせる工程と、前記複数個のレンズの相対位置を固定する工程と、を含むことを特徴とする（請求項４）。
【００１３】
本発明の第５の手段は、複数のレンズを含むレンズ群を光軸上に複数群配置したレンズユニットにおいて、前記複数のレンズ群の全てに、各レンズ群の光軸を中心とした回転方向の位置を定めるための印を設けることを特徴とする（請求項５）。
また、本発明の第６の手段は、第５の手段のレンズユニットにおいて、前記複数のレンズ群に設けられた印は、各レンズ群の外周部にあることを特徴とする（請求項６）。
さらに本発明の第７の手段は、第５または第６の手段のレンズユニットにおいて、前記複数のレンズ群に設けられた印は、各レンズ群がユニットに固定された状態で目視確認できる位置にあることを特徴とする（請求項７）。
さらにまた、本発明の第８の手段は、第５乃至第７のいずれか一つの手段のレンズユニットを組立てる組立方法であって、前記複数のレンズ群の各印を所定の位置関係に合わせる工程と、前記複数のレンズ群の相対位置を固定する工程と、を含むことを特徴とする（請求項８）。
【００１４】
本発明の第９の手段は、少なくとも１以上のレンズを収容する鏡筒を光軸上に複数個配置したレンズユニットにおいて、前記複数個の鏡筒の全てに、各鏡筒の光軸を中心とした回転方向の位置を定めるための印を設けることを特徴とする（請求項９）。
また、本発明の第１０の手段は、第９の手段のレンズユニットにおいて、前記複数個の鏡筒に設けられた印は、各鏡筒の外周部にあることを特徴とする（請求項１０）。
さらに本発明の第１１の手段は、第９または第１０の手段のレンズユニットにおいて、前記複数個の鏡筒に設けられた印は、各鏡筒がユニットに固定された状態で目視確認できる位置にあることを特徴とする（請求項１１）。
さらにまた、本発明の第１２の手段は、第９乃至第１１のいずれか一つの手段のレンズユニットを組立てる組立方法であって、前記複数個の鏡筒の各印を所定の位置関係に合わせる工程と、前記複数個の鏡筒の相対位置を固定する工程と、を含むことを特徴とする（請求項１２）。
【００１５】
本発明の第１３の手段は、レンズを光軸上に複数個配置したレンズユニットを有する光学ユニットにおいて、前記複数個のレンズ全てに、各レンズの光軸を中心とした回転方向の位置を定めるための印を設けることを特徴とする（請求項１３）。
また、本発明の第１４の手段は、第１３の手段の光学ユニットにおいて、前記複数個のレンズに設けられた印は、各レンズの外周部にあることを特徴とする（請求項１４）。
さらに本発明の第１５の手段は、第１３または第１４の手段の光学ユニットにおいて、前記複数個のレンズに設けられた印は、各レンズがユニットに固定された状態で目視確認できる位置にあることを特徴とする（請求項１５）。
さらにまた、本発明の第１６の手段は、第１３乃至第１５のいずれか一つの手段の光学ユニットを組立てる組立方法であって、前記複数個のレンズの各印を所定の位置関係に合わせる工程と、前記複数個のレンズの相対位置を固定する工程と、を含むことを特徴とする（請求項１６）。
【００１６】
本発明の第１７の手段は、複数のレンズを含むレンズ群を光軸上に複数群配置したレンズユニットを有する光学ユニットにおいて、前記複数のレンズ群の全てに、各レンズ群の光軸を中心とした回転方向の位置を定めるための印を設けることを特徴とする（請求項１７）。
また、本発明の第１８の手段は、第１７の手段の光学ユニットにおいて、前記複数のレンズ群に設けられた印は、各レンズ群の外周部にあることを特徴とする（請求項１８）。
さらに本発明の第１９の手段は、第１７または第１８の手段の光学ユニットにおいて、前記複数のレンズ群に設けられた印は、各レンズ群がユニットに固定された状態で目視確認できる位置にあることを特徴とする（請求項１９）。
さらにまた、本発明の第２０の手段は、第１７乃至第１９のいずれか一つの手段の光学ユニットを組立てる組立方法であって、前記複数のレンズ群の各印を所定の位置関係に合わせる工程と、前記複数のレンズ群の相対位置を固定する工程と、を含むことを特徴とする（請求項２０）。
【００１７】
本発明の第２１の手段は、少なくとも１以上のレンズを収容する鏡筒を光軸上に複数個配置したレンズユニットを有する光学ユニットにおいて、前記複数個の鏡筒の全てに、各鏡筒の光軸を中心とした回転方向の位置を定めるための印を設けることを特徴とする（請求項２１）。
また、本発明の第２２の手段は、第２１の手段の光学ユニットにおいて、前記複数個の鏡筒に設けられた印は、各鏡筒の外周部にあることを特徴とする（請求項２２）。
さらに本発明の第２３の手段は、第２１または第２２の手段の光学ユニットにおいて、前記複数個の鏡筒に設けられた印は、各鏡筒がユニットに固定された状態で目視確認できる位置にあることを特徴とする（請求項２３）。
さらにまた、本発明の第２４の手段は、第２１乃至第２３のいずれか一つの手段の光学ユニットを組立てる組立方法であって、前記複数個の鏡筒の各印を所定の位置関係に合わせる工程と、前記複数個の鏡筒の相対位置を固定する工程と、を含むことを特徴とする（請求項２４）。
【００１８】
本発明の第２５の手段は、原稿からの反射像を結像させる光学系と、該光学系の結像位置に配置された光電変換素子と、前記光学系と前記光電変換素子の双方が保持部材を介して取り付けられたベース部材とを備えた画像読取ユニットにおいて、前記光学系として、第１乃至第３、第５乃至第７、第９乃至第１１のうちのいずれか一つの手段のレンズユニット、あるいは、第１３乃至第１５、第１７乃至第１９、第２１乃至第２３のうちのいずれか一つの手段の光学ユニット、を備えたことを特徴とする（請求項２５）。
【００１９】
本発明の第２６の手段は、原稿からの反射像を光電変換素子によって読み取る画像読取装置において、第２５の手段の画像読取ユニットを備えたことを特徴とする（請求項２６）。
また、本発明の第２７の手段は、原稿画像を画像読取部で読み取り、読み取った画像情報に基いて画像形成部で画像形成を行う画像形成装置において、前記画像読取部に第２６の手段の画像読取装置を備えたことを特徴とする（請求項２７）。
【発明の効果】
【００２０】
本発明に係るレンズユニットでは、複数個あるレンズまたはレンズ群あるいは鏡筒の全てに光軸を中心とした回転方向（以下、光軸回り方向と言う）を定めるための印（マーク）を設け、特性評価時にはその印の光軸回り方向の位置を一定の位置に合わせることにより、光軸回り方向の位置を容易に揃えることができ、複数個あるレンズまたはレンズ群あるいは鏡筒を組付ける工程で行なうレンズ特性検査での結果と、複数個あるレンズまたはレンズ群あるいは鏡筒をユニットに位置決め固定する工程で行なう特性検査での結果を、短時間に同じように調整することができ、再度位置決めする際にも、同じ特性を出すことができる。これは例えば、複数個の分割レンズまたはレンズ群あるいは鏡筒を持つレンズユニットの組立と、レンズユニットに入れられたレンズをユニットごと画像読取ユニットに位置決め固定する工程とを、別工程（離れた生産拠点等）で行う際にも、短時間で同じ品質の物を調整完了することができる。
【００２１】
また、本発明に係るレンズユニットでは、複数個のレンズまたはレンズ群あるいは鏡筒につけられた印の光軸回り方向の位置が、複数の鏡筒で同じ光軸回り方向の位置にあることにより、複数あるレンズまたはレンズ群あるいは鏡筒を、光軸回り方向に相対的に位置決めできるため、再度位置決めする際にも、同じ特性を出すことができる。また、同じ位置にさえすればいいので、位置決めがしやすい。
さらに本発明に係るレンズユニットでは、複数個のレンズまたはレンズ群あるいは鏡筒につけられた印の光軸回り方向の位置が、複数のレンズまたはレンズ群あるいは鏡筒で同じ光軸回り方向の位置にあるようにし、これらの印がユニットの光軸回りの基準位置と同じ位置にあるようにすることにより、レンズの光軸回り方向の位置を、レンズ玉を鏡筒に組付ける工程で行うレンズ特性検査工程や、鏡筒に入れられたレンズを鏡筒ごと位置決め固定する工程で行う特性検査工程や、ユニットを組んだ後に行う検査工程などで、揃えることができ、どの工程でも同じ特性が得られるようになる。具体的にはユニットの光軸回りの基準位置（例えばユニットのライン型光電変換素子（ＣＣＤ等）の一辺）とレンズ検査する際の装置の光軸回り方向の基準位置（例えば測定装置のＣＣＤの一辺）を合わせることでよい。
【００２２】
さらに本発明に係るレンズユニットでは、以上の構成に加えて、複数個のレンズまたはレンズ群あるいは鏡筒に設けられた印は、各レンズまたはレンズ群あるいは鏡筒の外周部にあることにより、印を確認しやすく、光軸回りの位置を合わせやすくなる。
また、本発明に係るレンズユニットでは、印はレンズまたはレンズ群あるいは鏡筒がユニットに固定された状態で目視確認できる位置にあることにより、レンズユニットを組立した後でもレンズの光軸回り方向の位置決めが出来ていることを確認できる。これにより、レンズの位置ずれなどのチェックができ、安定したユニット特性が得られるようになる。
【００２３】
本発明に係る光学ユニットでは、レンズユニットの複数個あるレンズまたはレンズ群あるいは鏡筒の全てに光軸を中心とした回転方向（以下、光軸回り方向と言う）を定めるための印（マーク）を設け、特性評価時にはその印の光軸回り方向の位置を一定の位置に合わせることにより、光軸回り方向の位置を容易に揃えることができ、複数個あるレンズまたはレンズ群あるいは鏡筒を組付ける工程で行なうレンズ特性検査での結果と、複数個あるレンズまたはレンズ群あるいは鏡筒をユニットに位置決め固定する工程で行なう特性検査での結果を、短時間に同じように調整することができ、再度位置決めする際にも、同じ特性を出すことができる。これは例えば、複数個の分割レンズまたはレンズ群あるいは鏡筒を持つレンズユニットを有する光学ユニットの組立と、光学ユニットに入れられたレンズをユニットごと画像読取ユニットに位置決め固定する工程とを、別工程（離れた生産拠点等）で行う際にも、短時間で同じ品質の物を調整完了することができる。
【００２４】
また、本発明に係る光学ユニットでは、複数個のレンズまたはレンズ群あるいは鏡筒につけられた印の光軸回り方向の位置が、複数の鏡筒で同じ光軸回り方向の位置にあることにより、複数あるレンズまたはレンズ群あるいは鏡筒を、光軸回り方向に相対的に位置決めできるため、再度位置決めする際にも、同じ特性を出すことができる。また、同じ位置にさえすればいいので、位置決めがしやすい。
さらに本発明に係る光学ユニットでは、複数個のレンズまたはレンズ群あるいは鏡筒につけられた印の光軸回り方向の位置が、複数のレンズまたはレンズ群あるいは鏡筒で同じ光軸回り方向の位置にあるようにし、これらの印がユニットの光軸回りの基準位置と同じ位置にあるようにすることにより、レンズの光軸回り方向の位置を、レンズ玉を鏡筒に組付ける工程で行うレンズ特性検査工程や、鏡筒に入れられたレンズを鏡筒ごと位置決め固定する工程で行う特性検査工程や、ユニットを組んだ後に行う検査工程などで、揃えることができ、どの工程でも同じ特性が得られるようになる。具体的にはユニットの光軸回りの基準位置（例えばユニットのライン型光電変換素子（ＣＣＤ等）の一辺）とレンズ検査する際の装置の光軸回り方向の基準位置（例えば測定装置のＣＣＤの一辺）を合わせることでよい。
【００２５】
さらに本発明に係る光学ユニットでは、以上の構成に加えて、複数個のレンズまたはレンズ群あるいは鏡筒に設けられた印は、各レンズまたはレンズ群あるいは鏡筒の外周部にあることにより、印を確認しやすく、光軸回りの位置を合わせやすくなる。
また、本発明に係る光学ユニットでは、印はレンズまたはレンズ群あるいは鏡筒がユニットに固定された状態で目視確認できる位置にあることにより、光学ユニットを組立した後でもレンズの光軸回り方向の位置決めが出来ていることを確認できる。これにより、レンズの位置ずれなどのチェックができ、安定したユニット特性が得られるようになる。
【００２６】
本発明に係る画像読取ユニットでは、結像光学系として、上述のレンズユニットまたは光学ユニットを備えたことにより、位置決めや調整がし易く、安定したレンズ特性を得ることができ、安定した読取り特性を得ることができる。
また、本発明に係る画像読取装置（スキャナ装置）では、上記の画像読取ユニットを備えたことにより、安定した読取り特性を得ることができ、高品質な読取り画像を得ることができる。
さらに、本発明に係る画像形成装置では、画像読取部に上記の画像読取装置を備えたことにより、高品質な読取り画像を得ることができ、安定した複写画像を得ることができる。
【発明を実施するための最良の形態】
【００２７】
以下、本発明の実施の形態を図面を参照して詳細に説明する。
まず、本発明に係るレンズユニットとそれを有する光学ユニット、画像読取ユニット、画像読取装置及び画像形成装置の一実施形態を説明する。図１は本発明に係る複数の鏡筒からなる光学ユニットを備えた画像読取ユニットの概略斜視図、図２は図１の画像読取ユニットに用いられる光学ユニットの分解斜視図、図３は図１の画像読取ユニットを用いた画像読取装置（以下、スキャナ装置と言う）を備えた画像形成装置の概略構成図である。
【００２８】
複写機、ファクシミリ等の画像形成装置１は、図３に示すように、作像部を有する装置本体２と、自動原稿送り装置（ＡＤＦ）３と、スキャナ装置４と、給紙ユニット５と、書込ユニット６とを備えている。
装置本体２は、例えば箱状に形成され、フロア上などに設置される。装置本体２の上部にはスキャナ装置４と書込ユニット６が収容され、その書込ユニット６の下に作像部が設けられている。また、作像部の下には給紙ユニット５を収容している。
【００２９】
自動原稿送り装置３は、装置本体２の上部に取り付けられている。自動原稿送り装置３は、原稿載置板７と、ベルト送り装置８とを備えている。原稿載置板７は、平板状に形成され、装置本体２の上部に取り付けられているとともに、表面上に複数枚の原稿９が載置される。ベルト送り装置８は、原稿載置板７上の原稿９を一枚ずつ後述するコンタクトガラス１０上に送り出すとともに、後述の画像読み取りユニット１６により反射像が読み取られた原稿９をコンタクトガラス１０上から装置本体２外に排出する。
【００３０】
スキャナ装置４は、装置本体２の上部でかつ前述した自動原稿送り装置３の下方に設けられ、原稿を載置するコンタクトガラス１０と光学走査系１１とを備えている。コンタクトガラス１０は、両表面が水平方向と平行な状態で、装置本体２の上面に取り付けられている。光学走査系１１は、露光ランプ１２、第１ミラー１３、第２ミラー１４、第３ミラー１５及び画像読取ユニット１６などを備え、原稿９に光を照射して、該原稿９からの反射像を後述のライン型光電変換素子４２で光電変換する。
【００３１】
露光ランプ１２は、コンタクトガラス１０上の原稿９に光を照射する。第１ミラー１３、第２ミラー１４及び第３ミラー１５は、原稿９からの反射像を画像読み取りユニット１６に導く。露光ランプ１２及び第１ミラー１３は、図示しない第１キャリッジ上に固定され、第２ミラー１４及び第３ミラー１５は、図示しない第２キャリッジ上に固定されている。原稿を読み取る際には、光路長が変化しないように第１キャリッジと第２キャリッジとは２対１の相対速度で機械的に移動される。この光学走査系１１の前述した第１キャリッジと第２キャリッジとは、図示しないスキャナ駆動モータによって移動される。
【００３２】
画像読取ユニット１６は、結像レンズ系からなる光学ユニット３１と、ライン型光電変換素子４２を用いたイメージセンサ３２などを備えている。なお、この画像読取ユニット１６の詳細な構成は、後ほど説明する。画像読取ユニット１６は、前述した原稿の反射像をイメージセンサ３２によって読み取り、光信号から電気信号に変換して処理する。変換された電気信号は、図示しない画像処理部に向かって出力する。光学ユニット（結像レンズ系）３１及びイメージセンサ３２を図３において左右方向（水平方向）に移動させると画像倍率を変化させることができる。すなわち、指定された倍率に対応して光学ユニット（結像レンズ系）３１及びイメージセンサ３２の図３における左右方向の位置が設定される。
【００３３】
給紙ユニット５は、装置本体２の下部に設けられた複数の転写紙収容部１９と、転写紙送り出しユニット２０を備えている。転写紙収容部１９は、複数の転写紙２１を収容する。転写紙送り出しユニット２０は、転写紙収容部１９内の転写紙２１を、後述するレジストローラ２５間に送り出す。給紙ユニット５は、転写紙収容部１９内の転写紙２１を一枚ずつレジストローラ２５間、即ち作像部に向けて送り出す。
【００３４】
書込ユニット６は、レーザ出力ユニット２２と、結像レンズ２３と、ミラー２４などを備えている。また、書込ユニット６の下に位置する作像部には、レジストローラ２５と、感光体ドラム２６と、現像装置２７と、転写部材２８と、定着装置２９などを備えている。なお、感光体ドラム２６の周囲には、帯電装置やクリーニング装置などが配置されているが、これらの図示は省略している。
【００３５】
レーザ出力ユニット２２の内部には、レーザ光源であるレーザダイオード及びモータによって高速で定速回転する光偏向器（例えばポリゴンミラー）が設けられている。レーザ出力ユニット２２から照射されるレーザ光は、前記定速回転するポリゴンミラーによって偏向され、結像レンズ２３を通ってミラー２４で折り返され、感光体ドラム２６の外周面上に集光されて結像する。偏向されたレーザ光は、感光体ドラム２６が回転する方向と直交する所謂主走査方向に露光走査され、図示しない画像処理部から出力された画像信号のライン単位の記録を行う。そして、書込ユニット６は、感光体ドラム２６の回転速度と記録密度に対応した所定の周期で主走査を繰り返すことによって感光体ドラム２６の外周面上に画像、すなわち静電潜像を形成する。
【００３６】
このように書込ユニット６から出力されるレーザ光が、画像作像部の感光体ドラム２６に照射されるが、感光体ドラム２６の一端近傍のレーザ光の照射位置に主走査同期信号を発生する図示しないビームセンサが配されている。このビームセンサから出力される主走査同期信号に基づいて主走査方向の画像記録タイミングの制御、及び後述する画像信号の入出力用の制御信号の生成が行われる。
【００３７】
レジストローラ２５は、転写紙送り出しユニット２０により転写紙収容部１９から送り出されてきた転写紙２１を転写部材２８と感光体ドラム２６との間に送り出す。感光体ドラム２６は、軸芯を中心として回転自在な円柱状又は円筒状に形成されている。感光体ドラム２６は、レーザ出力ユニット２２により形成され且つ担持する静電潜像に現像装置２７のトナーが付着して現像され、こうして得られたトナー像を転写部材２８との間に位置付けられた転写紙２１に転写する。
【００３８】
現像装置２７は、トナーを感光体ドラム２６の外周面に付着させて、該感光体ドラム２６の外周面上の静電潜像を現像する。転写部材２８は、転写紙２１を感光体ドラム２６の外周面に押し付けて、感光体ドラム２６の外周面上のトナーを転写紙２１に転写するとともに、該転写紙２１を定着装置２９に向けて送り出す。定着装置２９は、感光体ドラム２６などに形成されたトナー像を転写紙２１に定着させ、転写紙２１を装置本体２外に排出する。
【００３９】
画像読取ユニット１６は、図１及び図４〜図６に示すように、ベース部３０と、結像レンズ系からなる光学ユニット３１と、イメージセンサ３２と、複数の中間保持部材３３とを備えている。なお、以下、光学ユニット（結像レンズ系）３１の光軸Ｏと平行な方向（奥行き方向と言う）を図２に示すＺ軸方向とし、光軸Ｏに直交しかつベース部材５０の表面と平行な方向（幅方向と言う）を図２に示すＸ軸方向とし、光軸Ｏとベース部材５０の表面との双方に直交する方向（厚み方向と言う）を図２に示すＹ軸方向とする。また、Ｚ軸（光軸Ｏ）を中心とした回転方向をγ方向とし、Ｘ軸を中心とした回転方向をα方向とし、Ｙ軸を中心とした回転方向をβ方向とする。
【００４０】
ベース部３０は、図１及び図４〜図６に示すように、スライドベース４９と、ベース部材５０とを備えている。スライドベース４９は、平板状に形成され、両表面が水平方向と平行な状態でスキャナ装置４内に収容される。スライドベース４９は、装置本体２内で図１中の左右方向に沿って、移動自在に設けられる。また、スライドベース４９の中央には、後述する貫通孔５５より大きな孔５１が貫通している。この孔５１には、貫通孔５５が重なる。さらに、スライドベース４９の幅方向（Ｘ軸方向）の両端には、位置決め用の孔５２（図１１に示す）が設けられている。
【００４１】
ベース部材５０は、厚手の板金からなり、平面形状が矩形状でかつ両表面が水平方向と平行な状態で配される平板部３４と、この平板部３４から立設した立設部３５とを備えている。平板部３４則ちベース部３０は、スライドベース４９上に重ねられて、該スライドベース４９に取り付けられる。このため、ベース部材５０は、図３中の左右方向に沿って、移動自在に設けられる。
【００４２】
立設部３５は、平板部３４の図３中の左右方向の一方の端、即ち奥行き方向（Ｚ軸方向）の一方の端から立設している。立設部３５は、平板部３４の幅方向Ｘの両端から立設した一対の立設柱３６と、これらの立設柱３６の平板部３４から離れた側の端部同士を連結した連結柱３７とを備えて、枠状に形成されている。
【００４３】
光学ユニット（結像レンズ系）３１は、二つのレンズユニット３８（３８ａ，３８ｂ）を少なくとも備えている。この二つのレンズユニット３８（３８ａ，３８ｂ）は、互いに別体である。各レンズユニット３８（３８ａ，３８ｂ）は同様の構成であり、図１、図２に示すように、レンズ鏡筒３９（３９ａ，３９ｂ）と、このレンズ鏡筒３９（３９ａ，３９ｂ）内に収容される２つのレンズ群４０（４０ａ，４０ｂ）とを備えている。なお、各レンズ群４０（４０ａ，４０ｂ）は、複数のレンズを組み合わせたレンズや、単体のレンズで構成される。
【００４４】
各レンズ鏡筒３９（３９ａ，３９ｂ）は、例えば図８に示すように、合成樹脂からなり、周知の射出成形などにより成形される。各レンズ鏡筒３９（３９ａ，３９ｂ）は、図１及び図４〜８に示すように、大径部５３と、小径部５４とを一体に備えている。大径部５３及び小径部５４は、それぞれ、内外径が軸芯方向に一定の円筒状に形成されている。小径部５４は、大径部５３の端部に連なりかつ前記大径部５３より内外径が小径である。大径部５３と小径部５４とは、それぞれ、軸芯に関して軸対称形状に形成されている。さらに、大径部５３と小径部５４とは、同軸的に設けられている。
【００４５】
レンズ群４０は、少なくとも一つが、レンズ鏡筒３９内に圧入されている。図示例では、レンズ群４０は、一つのレンズ鏡筒３９に二つ設けられている。二つのレンズ群４０のうち一方のレンズ群４０（以下、符号４０ａで示す）は、図８及び図９に示すように、大径部５３内に収容され、他方のレンズ群４０（以下、符号４０ｂで示す）は、図８及び図９に示すように、小径部５４内に収容されている。
【００４６】
これらのレンズ群４０ａ，４０ｂの光軸Ｏは、互いに同一線上に配されている。即ち、レンズ群４０ａ，４０ｂ同士は、互いに同軸に設けられている。レンズ群４０ａ，４０ｂの光軸Ｏは、前述した大径部５３及び小径部５４、即ちレンズ鏡筒３９の軸芯と同一線上に配されている。従って、これらレンズ群４０ａ，４０ｂと、レンズ鏡筒３９とは、互いに同軸に設けられている。
【００４７】
また、二つのレンズユニット３８は、小径部５４が互いに相対する状態で、互いに光軸が同一直線上に位置するように配されている。図１中手前側、即ち図４及び図５中左側の一方のレンズユニット３８（以下、符号３８ａで示す）の大径部５３は、第３ミラー１５と相対し、図１中奥側、即ち図４及び図５中右側の他方のレンズユニット３８（以下、符号３８ｂで示す）の大径部５３は、イメージセンサ３２と相対している。
【００４８】
図示例では、光学ユニット３１の二つのレンズユニット３８ａ，３８ｂのレンズ群４０ａ，４０ｂのうち前述した第３ミラー１５と相対する一方のレンズユニット３８ａの大径部５３内のレンズ群４０ａが、イメージセンサ３２の後述するライン型光電変換素子４２の結像する画像に影響を与える。なお、イメージセンサ３２のライン型光電変換素子４２の結像する画像に影響を与え易いとは、レンズ群４０ａ，４０ｂの前述した各方向Ｘ，Ｙ，Ｚ，α，β，γの移動によるイメージセンサ３２のライン型光電変換素子４２の結像する画像への影響が大きなことを示している。
【００４９】
レンズ鏡筒３９の大径部５３の外周面には、中間保持部材３３が取り付けられるようになっている。即ち、レンズユニット３８ａ，３８ｂは、ベース部材５０の平板部３４に中間保持部材３３を介して取り付けられる。各々のレンズユニット３８ａ，３８ｂ、即ちレンズ鏡筒３９には、中間保持部材３３が二つ取り付けられている。二つの中間保持部材３３は、幅方向（Ｘ軸方向）に沿って、互いの間にレンズ鏡筒３９を位置付けている。
【００５０】
本実施形態では、レンズ鏡筒３９に取り付けられる中間保持部材３３は、図９に示すように、光軸に対し直交する方向に沿って、前述した大径部５３に収容されるレンズ群４０ａの重心ＣＧ１と並設されている。なお、図９では、一方の光学ユニット３８ａを代表して示している。このように、本実施形態では、レンズ鏡筒３９に取り付けられる中間保持部材３３は、イメージセンサ３２のライン型光電変換素子４２の結像する画像に影響を与える一つのレンズ群４０ａと前記光軸Ｏに直交する方向に沿って並設される位置に配されている。
【００５１】
前述した構成の光学ユニット（結像レンズ系）３１のレンズ群４０ａ，４０ｂは、原稿９からの反射像をイメージセンサ３２のライン型光電変換素子４２に結像させる。
イメージセンサ３２は、パッケージ４１と、光電変換素子としてのライン型光電変換素子４２とを備えている。パッケージ４１は、例えば、セラミックスからなるベース４３と、セラミックスからなるウィンドフレーム４４と、封止ガラス４５とを備えている。ベース４３は、平板状に形成されており、表面上にライン型光電変換素子４２が取り付けられる。ウィンドフレーム４４は、枠状に形成されており、ベース４３の外縁部に重ねられた格好で該ベース４３に接着剤で固定される。
【００５２】
封止ガラス４５は、平板状に形成され、かつ外縁部がウィンドフレーム４４に重ねられた格好で、該ウィンドフレーム４４に接着剤で固定される。前述したパッケージ４１は、ベース４３とウィンドフレーム４４と封止ガラス４５とで、ライン型光電変換素子４２を覆う。また、パッケージ４１は、印刷配線板４６などに取り付けられる。
なお、ライン型光電変換素子４２としては、例えば光電変換素子と電荷搬送素子からなるＣＣＤ（Charge Coupled Device）等で構成されている。このライン型光電変換素子４２の長手方向は、主走査方向と平行になる。
【００５３】
また、前述したイメージセンサ３２は、印刷配線板４６の導体パターンと、前述したライン型光電変換素子４２の電極などとを互いに電気的に接続するためのパッケージ４１に設けられた電極やリード線などを備えている。さらに、前述したイメージセンサ３２は、封止ガラス４５が立設部３５の内側を通して、結像レンズ系３１と相対する状態で、中間保持部材３３を介して、ベース部３０の立設部３５に取り付けられている。
【００５４】
中間保持部材３３は、例えば、透明な光を透過する合成樹脂からなり、第１の取付部４７と、第２の取付部４８とを一体に備えている。第１の取付部４７と第２の取付部４８は、それぞれ、平板状に形成されている。第１の取付部４７の縁から第２の取付部４８が立設している。第１の取付部４７と第２の取付部４８とのなす角度は、図示例では、９０度となっている。
【００５５】
中間保持部材３３は、第１の取付部４７がベース部３０のベース部材５０に重ねられ、第２の取付部４８がレンズ鏡筒３９及びイメージセンサ３２のパッケージ４１に重ねられ、取付部４７，４８とベース部材５０、レンズ鏡筒３９及びイメージセンサ３２のパッケージ４１との間に例えば紫外線などの光が照射されると硬化する光硬化型の接着剤が充填されて、ベース部材５０にレンズ鏡筒３９即ち光学ユニット（結像レンズ系）３１及びパッケージ４１即ちイメージセンサ３２を取り付ける。ベース部材５０に取り付けられると、光学ユニット（結像レンズ系）３１とイメージセンサ３２の光軸Ｏは、同一線上に位置する。
【００５６】
また、前述した画像読取ユニット１６のベース部材５０には、貫通孔５５が設けられている。貫通孔５５は、勿論、ベース部材５０を貫通している。貫通孔５５の平面形は、前述した二つのレンズユニット３８ａ，３８ｂを合わせたもの、即ち光学ユニット（結像レンズ系）３１の平面形より大きく形成されている。貫通孔５５は、ベース部材５０の二つのレンズユニット３８ａ，３８ｂ、即ち光学ユニット（結像レンズ系）３１と重なる位置に設けられている。
【００５７】
本実施形態では、図５に示すように、画像読取ユニット１６の平面視において、前述した貫通孔５５内に光学ユニット（結像レンズ系）３１、即ち二つのレンズユニット３８ａ，３８ｂを位置付けている。なお、平面視とは、画像読取ユニット１６を厚み方向Ｙからみた状態を示している。また、図７に示すように、レンズユニット３８ａ，３８ｂの大径部５３、即ち光学ユニット（結像レンズ系）３１の一部が、貫通孔５５内に通されている（配されている）。さらに、前述した中間保持部材３３を介して、各レンズユニット３８ａ，３８ｂのレンズ鏡筒３９が、ベース部材５０に取り付けられている。
【００５８】
このように、本実施形態では、中間保持部材３３が、貫通孔５５の内縁、即ちベース部材５０から間隔を開けた状態で、レンズユニット３８ａ，３８ｂ、即ち各レンズ鏡筒３９をベース部材５０に支持している。このため、レンズユニット３８ａ，３８ｂ（各レンズ鏡筒３９）は、中間保持部材３３に固定される前では、前述した方向Ｘ，Ｙ，Ｚ，α，β，γに沿って、ベース部材５０との相対的な位置が変更可能である。
【００５９】
また、貫通孔５５は、奥行き方向（Ｚ軸方向）に沿って、幅狭部５６と、幅広部５７と、幅狭部５６とを順に設けている。幅狭部５６と、幅広部５７と、幅狭部５６とは、それぞれ、平面形状が四角形に形成されており、互いに連通している。幅狭部５６の幅方向Ｘの幅は、前述した大径部５３の外径より若干大きい。幅狭部５６は、前述した幅方向Ｘに沿って、各々のレンズユニット３８ａ，３８ｂの二つの中間保持部材３３間に配されている。平面視において、幅狭部５６は、内側に大径部５３を配している。幅広部５７の幅方向Ｘの幅は、前述した幅狭部５６の幅方向Ｘの幅より大きい。幅広部５７は、前述した奥行き方向Ｚに沿って、二つのレンズユニット３８ａ，３８ｂの中間保持部材３３間に配されている。平面視において、幅広部５７は、内側に小径部５４を配している。
【００６０】
前述した構成の画像読取ユニット１６は、ミラー１３，１４，１５により導かれた原稿９からの反射像を、光学ユニット（結像レンズ系）３１によりイメージセンサ３２のライン型光電変換素子４２に結像する。画像読取ユニット１６は、ライン型光電変換素子４２で光信号を電気信号に変換し、この電気信号を画像処理部に向けて出力する。
【００６１】
光学ユニット（結像レンズ系）３１は、各レンズ鏡筒３９にレンズ群（４０ａ，４０ｂ）を組付けた後、図１０に示すような検査装置６０Ａによってレンズ特性の検査及び調整が行われる。また、画像読み取りユニット１６は、図１１及び図１２に示す組立装置６０Ｂで組み立てられる。
検査装置６０Ａによる光学ユニット３１のレンズ特性の検査工程と、組立装置６０Ｂによる画像読取ユニット１６の組立（製造）工程は、通常、別工程（別の生産拠点）で行われるが、光学ユニットのレンズ特性の検査は、組立時と同様の治具を用いた光学系配置で行われる。従って、図１０と図１１で同様の部材には同一の符号を付してある。なお、検査と組立を同じ装置で行うこともでき、その場合は図１０〜１２に示す構成の検査・組立装置６０となる。
【００６２】
検査装置６０Ａは、図１０に示すように、図示しない装置本体と、センサ位置決め手段としてのセンサ位置決めユニット６２と、光学位置決め手段としての二つの光学位置決めユニット６３ａ，６３ｂと、基準光源部６４と、制御手段としての図示しない制御装置とを備えている。
また、組立装置６０Ｂは、図１１及び図１２に示すように、図示しない装置本体と、ベース部材保持手段としてのベース保持部６１と、センサ位置決め手段としてのセンサ位置決めユニット６２と、光学位置決め手段としての二つの光学位置決めユニット６３ａ，６３ｂと、基準光源部６４と、制御手段としての図示しない制御装置とを備えている。
【００６３】
なお、検査装置６０Ａと組立装置６０Ｂの光学系配置や、レンズユニット３８を保持する治具構成、イメージセンサ３２保持する治具構成、及び調整方法等は同様なので、ここでは、両者に共通する部分を先に説明する。また、レンズ検査・調整工程と、本発明の特徴である鏡筒３９へのγ方向位置決め用の印付け（マーキング）については後述の実施例で詳しく説明する。
【００６４】
検査装置６０Ａ（組立装置６０Ｂ）の本体は、工場等のフロア上などに設置される。センサ位置決めユニット６２は、チャックシリンダ６７と、移動装置６８と、イメージセンサ３２の駆動装置等を備えている。チャックシリンダ６７は、シリンダ本体６９と、一対のチャック７０と、を備えている。一対のチャック７０は、シリンダ本体６９から突出している。一対のチャック７０は、棒状に形成され、互いに平行に配されている。一対のチャック７０の長手方向は、水平方向と前述した奥行き方向Ｚとの双方と平行である。一対のチャック７０は、シリンダ本体６９により、互いに接離される。一対のチャック７０は、近づいて、互いの間にイメージセンサ３２を挟む。
【００６５】
移動装置６８は、装置本体と前述したチャックシリンダ６７のシリンダ本体６９との双方に取り付けられている。移動装置６８は、前述したチャックシリンダ６７、即ちイメージセンサ３２を、前述した方向Ｘ，Ｙ，Ｚ，α，β，γの各々に沿って移動する。
前述したセンサ位置決めユニット６２は、チャックシリンダ６７の一対のチャック７０間にイメージセンサ３２を挟んで、該イメージセンサ３２を移動装置６８で前述した方向Ｘ，Ｙ，Ｚ，α，β，γの各々に沿って移動する。前述したセンサ位置決めユニット６２は、イメージセンサ３２を所定の位置に位置決めする。
【００６６】
二つの光学位置決めユニット６３ａ，６３ｂは、それぞれ、チャック部７１と、移動装置７２とを備えている。チャック部７１は、図１３に示すように、棒状に形成されたチャック本体７３と、挟み片７４などを備えている。チャック本体７３は、長手方向が鉛直方向と前述した厚み方向Ｙとの双方と平行に配される。チャック本体７３の上面７５には、Ｖ溝７６が設けられている。Ｖ溝７６は、チャック本体７３の上面から凹に形成され、断面形状がＶ字状に形成されている。Ｖ溝７６の断面形状は、奥行き方向に沿って、一定に形成されている。Ｖ溝７６は、内側にレンズユニット３８ａ，３８ｂのレンズ鏡筒３９の小径部５４を位置付ける。
【００６７】
挟み片７４は、板状に形成されかつチャック本体７３の上面７５に、ねじ７７などにより該上面７５に接離自在に取り付けられている。また、挟み片７４は、コイルばね７８などにより前述したチャック本体７３の上面７５に向かって付勢されている。挟み片７４は、Ｖ溝７６との間にレンズユニット３８ａ，３８ｂのレンズ鏡筒３９の小径部５４を挟む。移動装置７２は、装置本体と前述したチャック本体７３との双方に取り付けられている。移動装置７２は、前述したチャック本体７３、即ちレンズユニット３８ａ，３８ｂを前述した各方向Ｘ，Ｙ，Ｚ，α，β，γの各々に沿って移動する。
【００６８】
このように光学位置決めユニット６３ａ，６３ｂは、チャック本体７３のＶ溝７６と挟み片７４との間にレンズユニット３８ａ，３８ｂを挟んで、該レンズユニット３８ａ，３８ｂを移動装置７２で前述した各方向Ｘ，Ｙ，Ｚ，α，β，γの各々に沿って移動する。そして、光学位置決めユニット６３ａ，６３ｂは、レンズユニット３８ａ，３８ｂを所定の位置に位置決めする。また、上記のレンズユニット３８ａ，３８ｂの調整は、レンズユニット３８ａ，３８ｂをチャック部７１にセットする際の置き方を手で変えて調整しても良いし、図示はしないが，既存の軸物を回転させる機構（例えばチャック部７１に組み込まれたコロなどで回転させる機構）で調整してもよい。
【００６９】
基準光源部６４は、装置本体に取り付けられている。基準光源部６４は、図１２に示すように、基準チャート紙７９と、ハロゲンランプなどを備えた光源８０とを備えている。基準光源部６４は、基準チャート紙７９を透過した光源８０からの光をセンサ位置決めユニット６２の一対のチャック７０間に挟まれたイメージセンサ３２に向けて出射する。なお、ここでは光源８０からの光を基準チャート紙７９に透過させる方法を述べているが、この方法に限定されない。他にも光源８０からの光を基準チャート７９に当てて、その反射光をイメージセンサ３２に向けて出射する方法などを用いてもよい。また、以上の調整・検査時には、イメージセンサ３２は既に検査装置６０Ａ（組立装置６０Ｂ）等に取り付けた駆動装置で駆動されている。
【００７０】
制御装置（図示せず）は、周知のＣＰＵやメモリ（ＲＡＭ、ＲＯＭ）などを備えたマイクロコンピュータである。この制御装置は、前述したセンサ位置決めユニット６２と二つの光学位置決めユニット６３ａ，６３ｂと基準光源部６４とに接続して、これらの動作を制御して、検査装置６０Ａ（組立装置６０Ｂ）全体の制御を司る。
【００７１】
なお、以上の例では、イメージセンサ３２の駆動装置は検査装置６０Ａ（組立装置６０Ｂ）に取り付けられているものとして説明したが、この構成にこだわらず、あらかじめ印刷配線板４６にイメージセンサ３２が配線されている物を検査装置６０Ａ（組立装置６０Ｂ）取り付ける構成でも良い。この時、印刷配線板４６には、イメージセンサ３２を駆動するための手段やイメージセンサ３２から得られたアナログ信号を増幅する手段、アナログ信号をデジタル信号に変換する手段や、得られた信号を処理する手段や、装置本体側と通信する手段等、を搭載してあってもよい。イメージセンサ３２をこれら印刷配線板４６に載せて調整するメリットとしては、検査、調整後、印刷配線板４６はイメージセンサ３２と組み合わせてそのまま製品として使われることになるので、検査装置６０Ａ（組立装置６０Ｂ）に付いた駆動装置を使った調整よりも、製品に載せられた時の誤差が少ない。これに対して、検査装置６０Ａ（組立装置６０Ｂ）に取り付けた駆動装置を使った調整の場合は、調整・組立時と実際の製品になる時で駆動手段（印刷配線板４６）が別物になり、多少の誤差が乗ってしまう。
【００７２】
次に図１１，１２に示す組立装置６０Ｂを用いた画像読取ユニット１６の組み立て方法について説明する。
図１１に示すように、組立装置６０Ｂのベース保持部６１は、一対の保持部材６５を備えている。保持部材６５は、装置本体などに取り付けられ、前述した幅方向Ｘに沿って互いに間隔をあけて配されている。保持部材６５は、各々位置決めピン６６が上方に向かって突出している。位置決めピン６６は、位置決め用の孔５２内に侵入する。ベース保持部６１は、位置決めピン６６が位置決め用の孔５２内に侵入して、一対の保持部材６５間にスライドベース４９を掛け渡した状態で、スライドベース４９、即ちベース部材５０を位置決めする。
【００７３】
このように、ベース保持部６１にスライドベース４９、即ち該スライドベース４９に取り付けられたベース部材５０を位置決めする。また、センサ位置決めユニット６２の一対のチャック７０間にイメージセンサ３２を挟み（あるいは、あらかじめ印刷配線板４６にイメージセンサ３２が配線されている物をセンサ位置決めユニット６２の一対のチャック７０間に挟み）、光学位置決めユニット６３ａ，６３ｂの各々のＶ溝７６と挟み片７４との間にレンズユニット３８ａ，３８ｂを挟む。さらに、基準光源部６４に基準チャート紙７９を取り付ける。
【００７４】
そして、まずセンサ位置決めユニット６２と光学位置決めユニット６３ａ，６３ｂとを、図１１に示すように、前述したイメージセンサ３２とレンズユニット３８ａ，３８ｂとが予め定められた位置関係となるように位置決めする。また、このときは、イメージセンサ３２は既に組立装置６０Ｂ（あるいは印刷配線板４６）の駆動装置で駆動されている。
【００７５】
次に基準光源部６４の光源８０から光を出射して、この光をレンズユニット３８ａ，３８ｂのレンズ群４０ａ，４０ｂを通して、イメージセンサ３２のライン型光電変換素子４２に受光させる。ライン型光電変換素子４２から所望の信号が得られるように、移動装置６８によりイメージセンサ３２を前述した各方向Ｘ，Ｙ，Ｚ，α，β，γに移動する。そして、ライン型光電変換素子４２から所望の信号を得られる位置で、移動装置６８を停止して、イメージセンサ３２を位置決めする。
【００７６】
その後、基準光源部６４の光源から光を二つのレンズユニット３８ａ，３８ｂの双方のレンズ群４０ａ，４０ｂを通してイメージセンサ３２のライン型光電変換素子４２に受光させる。ライン型光電変換素子４２から所望の信号が得られるように、移動装置７２によりレンズユニット３８ａ，３８ｂを前述した各方向Ｘ，Ｙ，Ｚ，α，β，γに移動する。このとき、貫通孔５５の幅広部５７内で、光学位置決めユニット６３ｂのチャック本体７３を前述した各方向Ｘ，Ｙ，Ｚ，α，β，γに移動する。そして、ライン型光電変換素子４２から所望の信号を得られる位置で、移動装置７２を停止して、レンズユニット３８ａ，３８ｂを位置決めする。このようにしてレンズユニット３８ａ，３８ｂの位置を微調整する。（なお、上記の例ではレンズユニット３８ａ，３８ｂの画像読取ユニット１６への組付け時に、光軸回り方向（γ方向）の移動や調整も行っているが、後述する実施例のように、光学ユニット３１のレンズ特性の検査時に、γ方向の位置調整とマーキングを行っておけば、画像読取ユニット１６への組付け時のγ方向の移動や調整は行わなくてもよくなる。）
【００７７】
以上のようにして、図１２に示すように、二つのレンズユニット３８ａ，３８ｂとイメージセンサ３２をベース部材５０に対し位置決めする。そして、所定位置に中間保持部材３３を位置付けて、中間保持部材３３とベース部材５０との間と、中間保持部材３３とレンズユニット３８ａ，３８ｂとの間と、中間保持部材３３とイメージセンサ３２との間に光硬化性の接着剤を充填する。その後、該接着剤を硬化させて、ベース部材５０に二つのレンズユニット３８ａ，３８ｂ及びイメージセンサ３２を固定する。また、印刷配線板４６を後付けする構成の場合は印刷配線板４６を取り付ける。このようにして、前述した構成の画像読取ユニット１６が得られる。
【００７８】
さて、以上に説明したような構成の画像読取ユニット１６を備えた画像形成装置１では、自動原稿送り装置３が、原稿９をスキャナ装置４のコンタクトガラス１０上に自動的に給送し、読み取りが終了した原稿９を自動的に排出する。画像形成装置１は、スキャナ装置４が、コンタクトガラス１０上にセットされた原稿９に光を照射し、この原稿９からの反射像を画像読取ユニット１６のライン型光電変換素子４２によって読み取る。
【００７９】
画像形成装置１は、書込ユニット６が、スキャナ装置４が光電変換した原稿９からの反射像の画像信号に基づいて、感光体ドラム２６上に潜像を形成する。感光体ドラム２６上の潜像は、現像装置２７のトナーで現像され、このトナー画像が、給紙ユニット５から給紙された転写紙２１上に転写され、定着装置２９で定着される。そして、画像形成装置１は、定着が完了した転写紙２１を装置本体２外に排出する。
【００８０】
本実施形態によれば、中間保持部材３３がレンズ鏡筒３９をベース部材５０から間隔をあけて支持するので、それぞれのレンズ鏡筒３９をベース部材５０に対し、前述した方向Ｘ，Ｙ，Ｚ，α，β，γのうち全ての方向に移動することができる（位置を調整できる）。
【００８１】
このように、互いにレンズ鏡筒３９が別体のレンズユニット３８ａ，３８ｂを組み合わせた光学ユニット３１を設けるという簡便な構成で、レンズ鏡筒３９の回転方向の調整とレンズ鏡筒３９間の間隔調整とを互いに独立して行うことができる。したがって、必要なレンズ特性を容易で確実に得ることができ、高性能の画像読取ユニット１６及びスキャナ装置４を得ることができる。したがって、高品質な読み取り画像が得られ、高品質な静電潜像を形成することができ、高品質な複写画像を安定して形成できる画像形成装置１を得ることができる。更に、必要なレンズ特性を容易で確実に得ることができるので、画像読取ユニット１６の組み立て工数を低減することが可能である。
【００８２】
以上、本発明の一実施形態を示したが、この実施形態の画像読取ユニット１６においては、複数のレンズを組み合わせてレンズ群４０を構成し、各レンズの位置合わせをし、レンズユニット３８の鏡筒３９にレンズ群４０を組付ける工程に続いて、レンズユニット３８を組み合わせて光学ユニット３１を構成し、図１０に示すような検査装置６０Ａでレンズ特性検査を行うが、この特性検査の後、一旦光学ユニットをチャックから外し、個々のレンズユニットに分割し、別工程で画像読取ユニット１６のベース部材に組付ける。このような場合、各レンズユニットの組付け位置を、上記の特性検査時の状態と同じにしないと、特性検査を行った意味がなくなり、画像読取ユニット１６に組付けた状態で再度同様な検査を行わなければならなくなる。そのため、レンズ特性検査での結果が画像読取ユニットの製造工程では生かされずに二度手間となっていた。また、特性検査の時点で最良の特性が得られる調整位置が見出されていても、画像読取ユニットのベース部材に取付ける際には、レンズ鏡筒ごとに位置調整しなおすので、同じ特性を得ることが難しいという問題もあった。
【００８３】
例えば、レンズの光軸を中心とした回転方向（光軸回り方向）を図１に示すようにγ方向とした場合に、γ方向以外の軸の調整では、レンズの結像特性の動きが各軸と連動しているので、画像読取ユニットに組付けた状態でも、各軸の調整によりレンズ全体の特性を調整することができるが、γ方向に関してはレンズ鏡筒３９の回転によってどのように特性が変わるかが鏡筒内のレンズ群４０の組付き状態によって変わるため、特性を複数回計測したい場合には上記のように検査工程で行う必要があり、製造工程に反映しにくいという問題がある。このため、検査工程で得た特性を製造工程で反映するためには、画像読取ユニット１６に組付けた状態でも、γ方向の特性が検査工程時と同じになるようにする工夫が必要となる。
【００８４】
そこで本発明では、複数のレンズまたはレンズ群４０を光軸上に配置してレンズユニットを構成する際、あるいは、１以上のレンズまたはレンズ群を収容する鏡筒３９を光軸上に複数個配置して組付ける際に、光軸回り方向（γ方向）の特性を検査工程時と同じ結果に容易に調整することができるようにし、組立後のレンズ特性の向上と、組立工程時の手間や工数の軽減を図るものである。
【００８５】
具体的例としては、本発明では図１，２及び図１０に示すように、検査・調整工程時に光学ユニット３１の２個あるレンズ鏡筒３９（３９ａ，３９ｂ）の全てに光軸回り方向（γ方向）を定めるための印（マーク）ＭＫ１，ＭＫ２を設け、図１１に示す組立装置６０Ｂによる特性評価時には、その印（マーク）ＭＫ１，ＭＫ２の光軸回り方向（γ方向）の位置を一定の位置に合わせる。これにより、光軸回り方向（γ方向）の位置を容易に揃えることができ、レンズを鏡筒３９に組付ける工程で行なうレンズ特性検査での結果と、鏡筒３９に入れられたレンズを鏡筒ごと位置決め固定する組立工程で行なう特性検査での結果を、短時間に同じように調整することができる。従って、再度位置決めする際にも、常に同じ特性を出すことができる。これは例えば、複数個の分割レンズを持つ鏡筒３９の組立と、鏡筒３９に入れられたレンズを鏡筒３９ごと画像読取ユニット１６に位置決め固定する工程とを、別工程（離れた生産拠点等）で行う際にも、短時間で同じ品質の物を調整完了することができることになる。
【００８６】
本発明に係る光学ユニット３１では、２つの鏡筒３９に付けられた印（マーク）ＭＫ１，ＭＫ２の光軸回り方向（γ方向）の位置が、２つの鏡筒３９で同じ光軸回り方向（γ方向）の位置にあるようにすることにより、２つの鏡筒３９を、光軸回り方向に相対的に位置決めできるため、再度位置決めする際にも、同じ特性を出すことができる。また、同じ位置にさえすればいいので、位置決めがしやすい。
また、２つの鏡筒３９につけられた印（マーク）ＭＫ１，ＭＫ２の光軸回り方向（γ方向）の位置が、２つの鏡筒３９で同じ光軸回り方向（γ方向）の位置にあり、これらの印（マーク）ＭＫ１，ＭＫ２がユニットの光軸回りの基準位置と同じ位置にあるようにすることにより、レンズ群４０の光軸回り方向の位置を、レンズ玉を鏡筒３９に組付ける工程で行うレンズ特性検査工程や、鏡筒３９に入れられたレンズを鏡筒３９ごと位置決め固定する工程で行う特性検査工程や、ユニットを組んだ後に行う検査工程などで、揃えることができ、どの工程でも同じ特性が得られるようになる。これは、具体的にはユニットの光軸回りの基準位置（例えばユニットのライン型光電変換素子（ＣＣＤ等）の一辺）とレンズ検査する際の装置の光軸回り方向の基準位置（例えば測定装置のＣＣＤの一辺）を合わせることでよい。
【００８７】
さらに本発明に係る光学ユニット３１では、２つの鏡筒３９に設けられた印（マーク）ＭＫ１，ＭＫ２は、各鏡筒３９（３９ａ，３９ｂ）の外周部にあることにより、印（マーク）ＭＫ１，ＭＫ２を確認しやすく、光軸回り（γ方向）の位置を合わせやすくなる。
また、印（マーク）ＭＫ１，ＭＫ２はレンズ鏡筒３９が画像読取ユニット１６に固定された状態で目視確認できる位置にあることにより、ユニットを組立した後でもレンズの光軸回り方向（γ方向）の位置決めが出来ていることを確認できる。これにより、レンズの位置ずれなどのチェックができ、安定したユニット特性が得られるようになる。
【００８８】
さて、以上に述べたように、本発明では検査装置６０Ａによるレンズ特性の検査、調整工程時に、光学ユニット３１の２個あるレンズ鏡筒３９（３９ａ，３９ｂ）の全てに光軸回り方向（γ方向）を定めるための印（マーク）ＭＫ１，ＭＫ２を設け、図１１に示す組立装置６０Ｂによる特性評価時には、その印（マーク）ＭＫ１，ＭＫ２の光軸回り方向（γ方向）の位置を一定の位置に合わせて組立工程を行うが、この際の検査・調整工程と、マーキング、及び組立工程の実施例を以下に示す。
【実施例】
【００８９】
＜レンズ検査、γ調整、マーキング工程＞
検査装置６０Ａは、図１０に示すように、図示しない装置本体と、センサ位置決め手段としてのセンサ位置決めユニット６２と、光学位置決め手段としての二つの光学位置決めユニット６３ａ，６３ｂと、基準光源部６４と、制御手段としての図示しない制御装置とを備えている。
センサ位置決めユニット６２は、チャックシリンダ６７と、移動装置６８と、イメージセンサ３２の駆動装置等を備えている。チャックシリンダ６７は、シリンダ本体６９と、一対のチャック７０とを備えている。一対のチャック７０は、シリンダ本体６９から突出している。一対のチャック７０は、棒状に形成され、互いに平行に配されている。一対のチャック７０の長手方向は、水平方向と前述した奥行き方向Ｚとの双方と平行である。一対のチャック７０は、シリンダ本体６９により、互いに接離される。一対のチャック７０は、近づいて、互いの間にイメージセンサ３２（あるいは、あらかじめ印刷配線板４６にイメージセンサ３２が配線されている物）を挟む。
【００９０】
移動装置６８は、装置本体とチャックシリンダ６７のシリンダ本体６９との双方に取り付けられている。移動装置６８は、チャックシリンダ６７、即ちイメージセンサ３２を、前述した方向Ｘ，Ｙ，Ｚ，α，β，γの各々に沿って移動することができる。
センサ位置決めユニット６２は、チャックシリンダ６７の一対のチャック７０間にイメージセンサ３２を挟んで、該イメージセンサ３２を移動装置６８で前述した方向Ｘ，Ｙ，Ｚ，α，β，γの各々に沿って移動する。前述したセンサ位置決めユニット６２は、イメージセンサ３２を所定の位置に位置決めする。
【００９１】
二つの光学位置決めユニット６３ａ，６３ｂは、それぞれ、チャック部７１と、移動装置７２とを備えている。チャック部７１は、図１３に示すように、棒状に形成されたチャック本体７３と、挟み片７４などを備えている。チャック本体７３は、長手方向が鉛直方向と前述した厚み方向Ｙとの双方と平行に配される。チャック本体７３の上面７５には、Ｖ溝７６が設けられている。Ｖ溝７６は、チャック本体７３の上面から凹に形成され、断面形状がＶ字状に形成されている。Ｖ溝７６の断面形状は、奥行き方向に沿って、一定に形成されている。Ｖ溝７６は、内側にレンズユニット３８ａ，３８ｂのレンズ鏡筒３９の小径部５４を位置付ける。
【００９２】
挟み片７４は、板状に形成されかつチャック本体７３の上面７５に、ねじ７７などにより該上面７５に接離自在に取り付けられている。また、挟み片７４は、コイルばね７８などにより前述したチャック本体７３の上面７５に向かって付勢されている。挟み片７４は、Ｖ溝７６との間にレンズユニット３８ａ，３８ｂのレンズ鏡筒３９の小径部５４を挟む。移動装置７２は、装置本体と前述したチャック本体７３との双方に取り付けられている。移動装置７２は、前述したチャック本体７３、即ちレンズユニット３８ａ，３８ｂを前述した方向Ｘ，Ｙ，Ｚ，α，β，γの各々に沿って移動する。
【００９３】
前述した光学位置決めユニット６３ａ，６３ｂは、チャック本体７３のＶ溝７６と挟み片７４との間にレンズユニット３８ａ，３８ｂを挟んで、該レンズユニット３８ａ，３８ｂを移動装置７２で前述した方向Ｘ，Ｙ，Ｚ，α，β，γの各々に沿って移動する。前述した光学位置決めユニット６３ａ，６３ｂは、レンズユニット３８ａ，３８ｂを所定の位置に位置決めする。
【００９４】
基準光源部６４は、装置本体に取り付けられている。基準光源部６４は、基準チャート紙と、ハロゲンランプなどを備えた光源８０とを備えている。基準光源部６４は、基準チャート紙を透過した光源８０からの光をセンサ位置決めユニット６２の一対のチャック７０間に挟まれたイメージセンサ３２に向けて出射する。
【００９５】
制御装置（図示せず）は、周知のＣＰＵやメモリ（ＲＡＭ、ＲＯＭ）などを備えたマイクロコンピュータである。この制御装置は、前述したセンサ位置決めユニット６２と二つの光学位置決めユニット６３ａ，６３ｂと基準光源部６４とに接続して、これらの動作を制御して、検査装置６０Ａ全体の制御を司る。
【００９６】
本実施例では、以上のような構成の検査装置６０Ａを用いてレンズ検査、調整、マーキング工程を実行する。このときの工程の一例を図１４のフローチャートで示す。
【００９７】
まず、検査装置６０Ａの二つの光学位置決めユニット６３ａ，６３ｂのチャック部７１に、２つのレンズユニット３８ａ，３８ｂの鏡筒をセットし、チャック本体７３に固定する。なお、イメージセンサ（例えばＣＣＤ）３２は、予め検査装置６０Ａのセンサ位置決めユニット６２のチャック７０に固定されている。
【００９８】
次に基準光源部６４の光源８０を点灯し、基準チャート紙を透過した光を２つのレンズユニット３８ａ，３８ｂを通してイメージセンサ３２に結像し、ＭＴＦの計測を行う。そして、測定の結果、測定値がＭＴＦ規格値より小さい場合は、レンズユニット３８ａ，３８ｂを移動装置７２でα，β，Ｘ，Ｙ，Ｚの各々の方向に移動し、α，β，Ｘ，Ｙ，Ｚの各方向の調整とＭＴＦの計測を行う（図１４では記載していないが、調整と共にＭＴＦの計測が実行される）。測定の結果、測定値がＭＴＦ規格値より小さい場合は、レンズユニット３８ａ，３８ｂを移動装置７２でγ方向に回転し、γ方向の調整とＭＴＦの計測を行う。このようにして、α，β，Ｘ，Ｙ，Ｚの各方向の調整と、γ方向の調整とを別々に繰り返し、測定値がＭＴＦ規格値以上となり、合格と判定されると、２つのレンズユニット３８ａ，３８ｂの鏡筒にγ方向の印となるマークＭＫ１，ＭＫ２をマーキングし、レンズ検査を完了する。
【００９９】
なお、図１０では、マークＭＫ１，ＭＫ２は上向きになっているが、これは組立工程時にベース部材５０の貫通孔５５を通すときの関係上、マークＭＫ１，ＭＫ２を上方向きにつけておいた方が視認性が良く、楽であるからであり、他の制約が無ければ、どの位置でも良い。但し、このマークの位置は、後述の画像読取ユニット１６の組立調整時に位置を再現できることが条件となる。
また、鏡筒につけるマークＭＫ１，ＭＫ２は、作業者によって油性ペンなどでつけても良いし、図示しないロボットや自動押印機によってつけても良い。他にも鏡筒を削ることで印を付与する、接着剤等を付着させる、レーザで焼きこむ等の方法を用いてもよい。
【０１００】
上記のレンズユニット３８ａ，３８ｂのγ調整（光軸回りの回転）は、レンズユニット３８ａ，３８ｂをチャック部７１にセットする際の置き方を手で変えて調整しても良いし、図示はしないが，既存の軸物を回転させる機構（例えばチャック部７１に組み込まれたコロなどで回転させる機構）でも良い。
また、レンズユニット３８ａ，３８ｂのγ調整（光軸回りの回転）は、イメージセンサ３２に対してレンズユニット３８ａ，３８ｂが相対的に回転していれば良く、例えば、２つの鏡筒を同時に同じ向きに動かしても良いし、また、片方の鏡筒を初めにセットされた時と同じ位置に固定して他方の鏡筒のみを回転しても良い。また、２つの鏡筒を反対方向に同じ角度だけ回転しても良いし、別の角度で回転しても良い。ただし、２つのレンズユニット３８ａ，３８ｂのうち、どちらの特性のバラツキが大きいかが分かっていない場合は、２つのレンズユニット３８ａ，３８ｂを反対向きに回した方が必要とする特性を出しやすい。これは、片側のレンズユニット３８ａだけを回すと、他方のレンズユニット３８ｂの特性が悪い場合、いくらレンズユニット３８ａのみを回転させても特性が良くなることが少ないためである。
【０１０１】
なお、上記の実施例においては、各レンズユニット３８ａ，３８ｂとしてレンズ鏡筒３９を使用している説明になっているが、本発明はレンズ鏡筒を必ず使用している構成に限定されるわけではなく、例えば鏡筒を使用せずに、レンズ（あるいはレンズ群）そのものを用いて、複数のレンズ（あるいはレンズ群）を光軸上に配置してユニット化する構成としてもよい。また、この場合はマークＭＫ１，ＭＫ２は鏡筒ではなく、複数のレンズ（あるいはレンズ群）の各レンズ（あるいはレンズ群）にマークを付与することとなる。
【０１０２】
＜画像読取ユニットの組立工程＞
画像読取ユニットの組立工程は、図１１に示した組立装置６０Ｂを用いて行われるが、組立装置６０Ｂの構成、動作については前述の実施形態で説明しているので、ここでは簡単に説明する。
本実施例では、図１１に示した構成の組立装置６０Ｂを用いて２つのレンズユニット３８ａ，３８ｂの位置決めを行い、画像読取ユニット１６のベース部材に組付けるが、このときの工程の一例を図１５のフローチャートで示す。
【０１０３】
まず、組立装置６０Ｂの二つの光学位置決めユニット６３ａ，６３ｂのチャック部７１に、２つのレンズユニット３８ａ，３８ｂをセットし、検査工程で２つの鏡筒にマーキングしたγ方向の印（マーク）ＭＫ１，ＭＫ２の位置を合わせた後、チャック本体７３に固定する。このセット時のマーク位置合わせで、γ方向の位置決めが行われる。
次に、イメージセンサ（例えばＣＣＤ）３２を検査装置６０Ａのセンサ位置決めユニット６２のチャック７０に固定する。
【０１０４】
次に基準光源部６４の光源８０を点灯し、基準チャート紙を透過した光を２つのレンズユニット３８ａ，３８ｂを通してイメージセンサ３２に結像し、ＭＴＦの計測を行う。そして、測定の結果、測定値がＭＴＦ規格値より小さい場合は、レンズユニット３８ａ，３８ｂを移動装置７２でα，β，Ｘ，Ｙ，Ｚの各々の方向に移動し、α，β，Ｘ，Ｙ，Ｚの各方向の調整とＭＴＦの計測を行う（図１５では記載していないが、調整と共にＭＴＦの計測が実行される）。測定の結果、測定値がＭＴＦ規格値より小さい場合は、レンズユニット３８ａ，３８ｂを再び移動装置７２でα，β，Ｘ，Ｙ，Ｚの各々の方向に移動し、α，β，Ｘ，Ｙ，Ｚの各方向の調整とＭＴＦの計測を行う。このようにして、α，β，Ｘ，Ｙ，Ｚの各方向の調整を繰り返し、測定値がＭＴＦ規格値以上となり、合格と判定されると、２つのレンズユニット３８ａ，３８ｂとイメージセンサ３２をベース部材５０に対し位置決め固定する。そして、前述したように、所定位置に中間保持部材３３を位置付けて、中間保持部材３３とベース部材５０との間と、中間保持部材３３とレンズユニット３８ａ，３８ｂとの間と、中間保持部材３３とイメージセンサ３２との間に光硬化性の接着剤を充填する。その後、該接着剤を硬化させて、ベース部材５０に二つのレンズユニット３８ａ，３８ｂ及びイメージセンサ３２を固定する。このようにして前述した構成の画像読取ユニット１６が得られる。
【０１０５】
本実施例では、検査工程時に２つのレンズユニット３８ａ，３８ｂのγ方向の調整を行い、最良な特性を得られる位置でγ方向の位置決め用のマーキングを施しているので、組立工程時には、２つのレンズユニット３８ａ，３８ｂのマークＭＫ１，ＭＫ２の位置を検査のときと同じ向きに合わせた後、チャック本体７３に固定するだけで、γ方向の位置決めを正確に行うことができ、組立工程時のγ方向の調整を省略することができる。
【０１０６】
なお、２つのレンズユニット３８ａ，３８ｂの鏡筒３９ａ，３９ｂに付ける印（マーク）ＭＫ１，ＭＫ２としては、図１６（ａ）に示すようにマークＭＫ１，ＭＫ２を同じ位置（同じ方向）に合わせてマーキングする方法の他、図１６（ｂ）に示すように、マークＭＫ１，ＭＫ２はずらしているが、マークの位置を上下などで合わせる方法や、図１６（ｃ）に示すように、マークの位置をγ方向に９０°ずらして、検査装置や組立装置の目印に合わせる方法など、様々な方法があり、これらは適宜選択されるものである。
【図面の簡単な説明】
【０１０７】
【図１】本発明の一実施形態に係る光学ユニットを備えた画像読取ユニットの概略斜視図である。
【図２】図１の画像読取ユニットに用いられる光学ユニットの分解斜視図である。
【図３】本発明の一実施形態にかかる画像形成装置の概略構成図である。
【図４】図１に示す画像読取ユニットの側面図である。
【図５】図１に示す画像読取ユニットの平面図である。
【図６】図５中のＶ−Ｖ線に沿う断面図である。
【図７】図５中のＶＩ−ＶＩ線に沿う断面図である。
【図８】図１に示す画像読取ユニットのレンズユニットの断面図である。
【図９】図８に示されたレンズユニットと中間保持部材との位置関係を示す説明図である。
【図１０】光学ユニットの調整、検査の際に用いられる検査装置の説明図である。
【図１１】図１に示す画像読取ユニットを組み立てる際に用いられる組立装置の説明図である。
【図１２】図１１に示す組立装置でイメージセンサと光学ユニットが位置決めされた状態を示す説明図である。
【図１３】図１０に示す検査装置や図１１に示す組立装置で用いられる光学位置決めユニットのチャック本体の要部を示す正面図である。
【図１４】検査、調整、マーキング工程の一例を示すフローチャートである。
【図１５】組立工程の一例を示すフローチャートである。
【図１６】２つのレンズユニットの鏡筒につけられるマークの説明図である。
【符号の説明】
【０１０８】
１：画像形成装置
４：画像読取装置（スキャナ装置）
９：原稿
１６：画像読取ユニット
３１：光学ユニット（結像レンズ系）
３２：イメージセンサ
３３：中間保持部材
３８，３８ａ，３８ｂ：レンズユニット
３９，３９ａ，３９ｂ：レンズ鏡筒
４０，４０ａ，４０ｂ：レンズ群
４２：ライン型光電変換素子（ＣＣＤ等）
５０：ベース部材
５３：大径部
５４：小径部
５５：貫通孔
６０Ａ：検査装置
６０Ｂ：組立装置
ＭＫ１，ＭＫ２：印（マーク）
Ｏ：光軸
【図１】
2007079343.tif 000003
【図２】
2007079343.tif 000004
【図３】
2007079343.tif 000005
【図４】
2007079343.tif 000006
【図５】
2007079343.tif 000007
【図６】
2007079343.tif 000008
【図７】
2007079343.tif 000009
【図８】
2007079343.tif 000010
【図９】
2007079343.tif 000011
【図１０】
2007079343.tif 000012
【図１１】
2007079343.tif 000013
【図１２】
2007079343.tif 000014
【図１３】
2007079343.tif 000015
【図１４】
2007079343.tif 000016
【図１５】
2007079343.tif 000017
【図１６】
2007079343.tif 000018